(57)【要約】【課題】本発明は、表示手段の色調に容易に合わせられるようにすること目的とする。【解決手段】表示部の色調を少なくとも第１の色調と第２の色調とから設定可能な設定手段と、前記表示部の色調を設定する設定画面において、記憶媒体に記録された画像のいずれかを表示する表示手段とを有する撮像装置であって、前記記憶媒体に記録された画像のうち、前記撮像装置とは異なる撮像装置である別装置で撮影された画像がある場合には、前記別装置で撮影された画像を前記設定画面に表示するように制御する制御手段とを有することを特徴とする。【選択図】図３Ａ
2018129669.tif 000002
【特許請求の範囲】
【請求項１】
表示部の色調を少なくとも第１の色調と第２の色調とから設定可能な設定手段と、
前記表示部の色調を設定する設定画面において、記憶媒体に記録された画像のいずれかを表示する表示手段とを有する撮像装置であって、
前記記憶媒体に記録された画像のうち、前記撮像装置とは異なる撮像装置である別装置で撮影された画像がある場合には、前記別装置で撮影された画像を前記設定画面に表示するように制御する制御手段とを有することを特徴とする撮像装置。
【請求項２】
前記制御手段は、前記記憶媒体に記録された画像を撮影した撮像装置のうち、前記別装置が複数ある場合、記録された画像が最も多い別装置により撮影された画像を前記設定画面に表示するように制御を行うことを特徴とする請求項１に記載の撮像装置。
【請求項３】
前記制御手段は、前記記憶媒体に記録された画像を撮影した撮像装置のうち、前記別装置が複数ある場合、最も古い画像を撮影した別装置により撮影された画像を前記設定画面に表示するように制御を行うことを特徴とする請求項１に記載の撮像装置。
【請求項４】
前記制御手段は、前記記憶媒体に記録された画像を撮影した撮像装置のうち、前記別装置が複数ある場合、表示部の色調が前記撮像装置の前記表示部の色調と異なる前記別装置によって撮影された画像を前記設定画面に表示するように制御を行うことを特徴とする請求項１に記載の撮像装置。
【請求項５】
前記設定画面において表示される画像は１枚であり、
前記制御手段は、複数枚の画像を表示する表示指示がされたことに応じて複数枚の画像を表示する一覧画面を前記表示部に表示するように制御することを特徴とする請求項１乃至４のいずれか１項に記載の撮像装置。
【請求項６】
前記一覧画面においては、前記一覧画面に表示される画像と共に該画像を撮像した撮像装置を示す表示がされることを特徴とする請求項５に記載の撮像装置。
【請求項７】
前記別装置の表示部の色調と、前記別装置における色調設定の情報とを少なくとも含む情報を取得可能な取得手段をさらに有することを特徴とする請求項１乃至６のいずれか１項に記載の撮像装置。
【請求項８】
前記制御手段は、前記別装置の表示部における色調と、前記表示部における色調とがユーザからみて同じ色調となるように、前記表示部の色調設定を行うように制御することを特徴とする請求項１乃至７のいずれか１項に記載の撮像装置。
【請求項９】
前記設定画面とは異なる前記記憶媒体に記録された画像を表示する再生画面においては、前記再生画面を表示する指示がされたことに応じて、前記再生画面が最後に表示された際に表示されていた画像が表示されることを特徴とする請求項１乃至８のいずれか１項に記載の撮像装置。
【請求項１０】
前記設定画面では、ブルーとアンバー方向の色調、グリーンとマゼンタ方向の色調とから色調を設定可能なマトリクスが表示されることを特徴とする請求項１乃至９のいずれか１項に記載の撮像装置。
【請求項１１】
前記第１の色調と前記第２の色調とは、前記マトリクスで設定された色調に対応づけた色調設定候補であり、複数の色調設定候補からいずれかを選択可能な色調選択手段をさらに有することを特徴とする請求項１０に記載の撮像装置。
【請求項１２】
前記第１の色調と前記第２の色調とは、前記マトリクスにおいて設定可能な色調の設定値を示すことを特徴とする請求項１０に記載の撮像装置。
【請求項１３】
ユーザは少なくとも２つの色調設定候補に対応づけた色調を前記マトリクスにおいて設定可能であることを特徴とする請求項１０乃至１２のいずれか１項に記載の撮像装置。
【請求項１４】
前記別装置で撮影された画像を前記設定画面において優先的に表示する優先モードを表示モードとして設定可能なモード設定手段をさらに有し、
前記制御手段は、前記表示モードが前記優先モードのとき、前記別装置で撮影された画像を前記設定画面に表示するようにし、
前記表示モードが前記優先モードではないとき、前記撮像装置で撮影された画像を前記設定画面に表示するように制御を行うことを特徴とする請求項１乃至１３のいずれか１項に記載の撮像装置。
【請求項１５】
表示部の色調を設定する設定画面において、記憶媒体に記録された画像のいずれかを表示する表示手段を有する撮像装置の制御方法であって、
前記表示部の色調を少なくとも第１の色調と第２の色調とから設定可能な設定ステップと、
前記記憶媒体に記録された画像のうち、前記撮像装置とは異なる撮像装置である別装置で撮影された画像がある場合には、前記別装置で撮影された画像を前記設定画面に表示するように制御する制御ステップとを有することを特徴とする撮像装置の制御方法。
【請求項１６】
コンピュータを、請求項１乃至１４のいずれか１項に記載された撮像装置の各手段として機能させるためのプログラム。
【請求項１７】
コンピュータを、請求項１乃至１４のいずれか１項に記載された撮像装置の各手段として機能させるためのプログラムを格納したコンピュータが読み取り可能な記憶媒体。
【発明の詳細な説明】
【技術分野】
【０００１】
本発明は、撮像装置の表示部の色調を設定する画面を表示する際の技術に関する。
【背景技術】
【０００２】
表示部の色をユーザの好みに合わせて調整することがある。特許文献１には、赤・緑・青・黄の４個のボタンがあり、各ボタンを押下することで対応する色の調整ができることが開示されている。
【先行技術文献】
【特許文献】
【０００３】
【特許文献１】特開２００９−２７２１４号公報
【発明の概要】
【発明が解決しようとする課題】
【０００４】
ここで、ユーザは、見慣れた色調の表示部（モニタ）を備える第１撮像装置とは異なる色調の表示部を備える第２撮像装置とを使う場合がある。このとき、例えば特許文献１に記載の技術では、ユーザは、第２撮像装置の表示部の色調を変えるときに、第１撮像装置の表示部と比べたり、見慣れた表示部の色調がどのようなものであったかを思い出したりする必要がある。このため、見慣れた色調に設定する操作が煩雑となる。
【０００５】
本発明は、表示手段の色調に容易に合わせられるようにすること目的とする。
【課題を解決するための手段】
【０００６】
本発明の撮像装置は、第１表示手段を有する撮像装置であって、色調を指定可能な指定部を含んだ設定画面を前記第１表示手段に表示する制御を行う第１表示制御手段と、自機以外の撮像装置である別装置で撮影された画像であって所定の記録領域に記録された画像を前記設定画面に表示する制御を行う第１画像制御手段と、前記指定部での指定に基づいて、前記第１表示手段の色調を設定する第１設定手段と、を有することを特徴とする。
【発明の効果】
【０００７】
本発明によれば、表示手段の色調に容易に合わせられるようにすることができる。
【図面の簡単な説明】
【０００８】
【図１】デジタルカメラの外観図である。
【図２】デジタルカメラのブロック図である。
【図３Ａ】色調調整処理の一部分のフローチャートである。
【図３Ｂ】色調調整処理の他の部分のフローチャートである。
【図４】設定画面等の例を示す図である。
【図５】一覧画面の例を示す図である。
【図６】確認画面の例を示す図である。
【図７】設定画面の例を示す図である。
【発明を実施するための形態】
【０００９】
以下、図面を参照して本発明の好適な実施形態を説明する。
まず、図１（ａ）、（ｂ）を参照して、撮像装置の例であるデジタルカメラ１００の構成要素について説明する。図１（ａ）は、デジタルカメラ１００の前面斜視図である。図１（ｂ）は、デジタルカメラ１００の背面斜視図である。
【００１０】
表示部１２８は、画像や各種情報を表示するモニタである。表示部１２８は、デジタルカメラ１００の背面に設けられている。表示部１２８は、タッチ操作を受付け可能なタッチパネル１７０ａと一体に設けられている。
ファインダ外表示部１４３は、カメラ上面に設けられた表示部である。ファインダ外表示部１４３には、シャッター速度や絞りをはじめとするデジタルカメラ１００の様々な設定値が表示される。
接眼ファインダ１１６はフォーカシングスクリーン１１３を観察することで、レンズユニット１２５を通して得た被写体の光学像の焦点や構図の確認を行うための覗き込み型のファインダである。グリップ部１８５は、ユーザがデジタルカメラ１００を構えた際に右手で握りやすい形状とした保持部である。
端子カバー１４０は、外部機器とデジタルカメラ１００とを接続する接続ケーブル等のコネクタ（不図示）を保護するカバーである。
【００１１】
クイックリターンミラー１１２は、露光、ライブビュー撮影、動画撮影の際にシステム制御部１５０からの指示に基づいて、不図示のアクチュエータによりアップダウンされる。クイックリターンミラー１１２は、レンズ１０５（図２）から入射した光束をファインダ１１６側と撮像部１２２（図２）側とに切替えるためのミラーである。クイックリターンミラー１１２は、通常時はファインダ１１６へと光束を導くよう反射させるように配されている。しかし、撮影が行われる場合やライブビュー表示の場合、クイックリターンミラー１１２は、撮像部１２２へと光束を導くように上方に跳ね上がり光束中から待避する（ミラーアップ）。また、クイックリターンミラー１１２は、その中央部が光の一部を透過できるようにハーフミラーとなっており、光束の一部を、焦点検出を行うための焦点検出部１１１に入射するように透過させる。
【００１２】
通信端子１１０は、デジタルカメラ１００が、着脱可能なレンズユニット１２５側と通信を行うための端子である。
ファインダ１１６は、覗き込み型の接眼ファインダである。
【００１３】
次に、図２を参照して、デジタルカメラ１００の構成要素について説明する。図２は、デジタルカメラ１００のブロック図である。
レンズユニット１２５は、交換可能な撮影レンズを搭載する。レンズユニット１２５は、デジタルカメラ１００に対して着脱可能であり、絞り１０１と、絞り駆動回路１０２と、ＡＦ駆動回路１０３と、レンズシステム制御回路１０４と、レンズ１０５と、通信端子１０６とを備える。
レンズユニット１２５は、通常複数枚のレンズ１０５を備えるが、図２では簡略化して１枚のレンズ１０５を示している。
通信端子１０６は、レンズユニット１２５がデジタルカメラ１００側と通信を行うための端子である。
レンズユニット１２５は、通信端子１０６及び通信端子１１０を介してシステム制御部１５０と通信する。そして、レンズシステム制御回路１０４は、絞り駆動回路１０２を介して絞り１０１の制御を行い、ＡＦ駆動回路１０３を介してレンズ１０５の位置を変位させることで焦点を合わせる。
【００１４】
ＡＥセンサ１１７は、レンズユニット１２５を通した被写体の輝度を測光する。
焦点検出部１１１は、システム制御部１５０にデフォーカス量情報を出力する。システム制御部１５０は、取得したデフォーカス量情報に基づいてレンズユニット１２５を制御し、位相差ＡＦ（位相差オートフォーカス）を行う。
撮影者となるユーザは、ペンタプリズム１１４とファインダ１１６とを介して、フォーカシングスクリーン１１３を観察することで、レンズユニット１２５を通して得た被写体の光学像の焦点や構図の確認が可能となる。
シャッター１８６は、システム制御部１５０の制御によって、撮像部１２２の露光時間を自由に制御できるフォーカルプレーンシャッターである。
撮像部１２２は、撮像素子であり、光学像を電気信号に変換するＣＣＤやＣＭＯＳ素子等で構成される。
Ａ／Ｄ変換器１２３は、アナログ信号をデジタル信号に変換する。Ａ／Ｄ変換器１２３は、撮像部１２２から出力されるアナログ信号をデジタル信号に変換するために用いられる。
【００１５】
画像処理部１２４は、Ａ／Ｄ変換器１２３からのデータ、又は、メモリ制御部１１５からのデータに対し所定の画素補間、縮小といったリサイズ処理や色変換処理を行う。また、画像処理部１２４は、撮影された画像のデータを用いて所定の演算処理を行い、得られた演算結果に基づいてシステム制御部１５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１２４は、更に、撮影された画像のデータを用いて所定の演算処理を行い、得られた演算結果に基づいてＴＴＬ方式のＡＷＢ（オートホワイトバランス）処理を行う。
【００１６】
メモリ１３２は、撮像部１２２によって得られＡ／Ｄ変換器１２３によりデジタルデータに変換された画像のデータや、表示部１２８に表示するための画像のデータを格納する。メモリ１３２は、所定枚数の静止画像や所定時間の動画像、及び、音声を格納するのに十分な記憶容量を備えている。また、メモリ１３２は、画像表示用のメモリ（ビデオメモリ）を兼ねている。Ａ／Ｄ変換器１２３からの出力データは、画像処理部１２４及びメモリ制御部１１５を介して、又は、メモリ制御部１１５を介してメモリ１３２に直接書き込まれる。
Ｄ／Ａ変換器１１９は、メモリ１３２に格納されている画像表示用のデータをアナログ信号に変換して表示部１２８に供給する。こうして、メモリ１３２に書き込まれた表示用の画像のデータはＤ／Ａ変換器１１９を介して表示部１２８により表示される。表示部１２８は、ＬＣＤ等の表示器上に、Ｄ／Ａ変換器１１９からのアナログ信号に応じた表示を行う。Ａ／Ｄ変換器１２３によって一度Ａ／Ｄ変換されメモリ１３２に蓄積されたデジタル信号をＤ／Ａ変換器１１９においてアナログ変換し、表示部１２８に逐次転送して表示することで、デジタルカメラ１００は電子ビューファインダの機能を実現する。そして、デジタルカメラ１００はスルー画像表示（ライブビュー表示）を行える。
【００１７】
ファインダ内液晶表示部１４１には、ファインダ内表示部駆動回路１４２を介して、現在オートフォーカスが行われている測距点を示す枠（ＡＦ枠）や、カメラの設定状態を表すアイコン等が表示される。
ファインダ外表示部１４３には、ファインダ外表示部駆動回路１４４を介して、シャッター速度や絞りをはじめとするデジタルカメラ１００の様々な設定値が表示される。
不揮発性メモリ１５６は、記憶媒体の例であり、電気的に消去・記録可能なメモリである。不揮発性メモリ１５６には例えばＥＥＰＲＯＭ等が用いられる。不揮発性メモリ１５６には、システム制御部１５０の動作用の定数、プログラム等が記憶される。ここでいう、プログラムとは、本実施形態にて後述する各種フローチャートを実行するためのプログラムのことである。
【００１８】
システム制御部１５０は、少なくとも１つのプロセッサーを有する制御部であり、デジタルカメラ１００全体を制御する。システム制御部１５０が不揮発性メモリ１５６に記録されたプログラムをシステムメモリ１５２に展開し、展開されたプログラムをシステム制御部１５０が実行することで、図３Ａ、図３Ｂのフローチャートの処理が実現される。システム制御部１５０は、メモリ１３２、Ｄ／Ａ変換器１１９、及び、表示部１２８等を制御することにより表示制御も行う。
システムメモリ１５２には、ＲＡＭが用いられ、システム制御部１５０の動作用の定数、変数、不揮発性メモリ１５６から読み出したプログラム等が展開される。
システムタイマ１５３は、計時部であり、各種制御に用いる時間や、内蔵された時計の時間を計測する。
【００１９】
第１シャッタースイッチ１６２は、デジタルカメラ１００に設けられたシャッターボタン１６１の操作途中、いわゆる半押し（撮影準備指示）でＯＮとなり、第１シャッタースイッチ信号ＳＷ１を発生する。システム制御部１５０は、第１シャッタースイッチ信号ＳＷ１により、ＡＦ処理、ＡＥ処理、ＡＷＢ処理、ＥＦ処理等の動作を開始する。
第２シャッタースイッチ１６４は、シャッターボタン１６１の操作完了、いわゆる全押し（撮影指示）でＯＮとなり、第２シャッタースイッチ信号ＳＷ２を発生する。システム制御部１５０は、第２シャッタースイッチ信号ＳＷ２により、撮像部１２２からの信号読み出しから記憶媒体１９０に画像のデータを書き込むまでの一連の撮影処理の動作を開始する。
【００２０】
電源制御部１８０は、電池検出回路、ＤＣ−ＤＣコンバータ、通電するブロックを切り替えるスイッチ回路等により構成され、電池の装着の有無、電池の種類、電池残量の検出を行う。また、電源制御部１８０は、その検出結果及びシステム制御部１５０の指示に基づいてＤＣ−ＤＣコンバータを制御し、必要な電圧を必要な期間、記憶媒体１９０を含む各部へ供給する。
電源部１３０は、アルカリ電池やリチウム電池等の一次電池やＮｉＣｄ電池やＮｉＭＨ電池、Ｌｉ電池等の二次電池、ＡＣアダプター等からなる。
記憶媒体Ｉ／Ｆ１１８は、メモリカードやハードディスク等の記憶媒体１９０とのインターフェースである。
記憶媒体１９０は、撮影された画像を記録するためのメモリカード等の記憶媒体であり、半導体メモリや磁気ディスク等から構成される。記憶媒体１９０は、画像が記録される記録領域の例である。
【００２１】
通信部１５４は、無線、又は、有線ケーブルによって接続し、映像信号や音声信号の送受信を行う。通信部１５４は、無線ＬＡＮ（Ｌｏｃａｌ  Ａｒｅａ  Ｎｅｔｗｏｒｋ）やインターネットとも接続可能である。通信部１５４は、撮像部１２２で撮影された画像（スルー画像を含む）や、記憶媒体１９０に記録された画像を送信できる。また、通信部１５４は、外部機器から画像やその他の各種情報を受信できる。
姿勢検知部１５５は、重力方向に対するデジタルカメラ１００の姿勢を検知する。姿勢検知部１５５で検知された姿勢に基づいて、撮像部１２２で撮影された画像が、デジタルカメラ１００を横に構えて撮影された画像であるか、縦に構えて撮影された画像なのかを判別可能である。システム制御部１５０は、姿勢検知部１５５で検知された姿勢に応じた向き情報を撮像部１２２で撮影された画像の画像ファイルに付加したり、画像を回転して記録したりすることが可能である。姿勢検知部１５５としては、加速度センサやジャイロセンサ等を用いることができる。
【００２２】
次に、図１（ａ）、（ｂ）及び図２を参照して、デジタルカメラ１００が備える操作部１７０について説明する。操作部１７０は、ユーザからの操作を受け付ける入力部としての操作部材であり、システム制御部１５０に各種の動作指示を入力するための操作手段である。操作部１７０には、モード切替スイッチ１６０、シャッターボタン１６１、クイック設定ボタン１６５、メイン電子ダイヤル１７１、電源スイッチ１７２、サブ電子ダイヤル１７３が含まれる。また、操作部１７０には、十字キー１７４、ＳＥＴボタン１７５、ＬＶボタン１７６、再生ボタン１７９が含まれる。
【００２３】
モード切替スイッチ１６０は、システム制御部１５０の動作モードを、静止画記録モード、動画撮影モード、再生モード等のいずれかに切り替えるためのスイッチである。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ１６０で、これらのモードのいずれかに直接切り替えられる。なお、モード切替スイッチ１６０で撮影モードの一覧画面に一旦切り換えた後に、表示された複数のモードのいずれかを選択し、他の操作部材を用いて切り替えるようにしてもよい。静止画記録モードと同様に、動画撮影モードにも複数のモードが含まれていてもよい。
【００２４】
シャッターボタン１６１は、撮影指示を行うためのボタンである。
クイック設定ボタン１６５は、押しボタンスイッチであり、押下することで、各動作モードにおいて設定可能な設定項目の一覧であるクイック設定メニューが表示される。例えばライブビュー撮影での撮影待機中にクイック設定ボタン１６５が押下されると、電子先幕シャッター、モニタの明るさ、ＬＶ画面のＷＢ、２点拡大、無音撮影等の設定項目の一覧がＬＶに重畳して１列に表示される。ユーザは表示されたクイック設定メニューの内、任意の選択肢を上下キーで選択してＳＥＴボタン１７５を押下することで、選択した設定項目に関する設定変更や動作モードへの移行を行うことができる。
【００２５】
メイン電子ダイヤル１７１は、回転操作部材である。メイン電子ダイヤル１７１を回すことで、シャッター速度や絞り等の設定値の変更等が行える。
電源スイッチ１７２は、デジタルカメラ１００の電源のＯＮ及びＯＦＦを切り替えるスイッチである。
サブ電子ダイヤル１７３は、回転操作部材である。サブ電子ダイヤル１７３によって、選択枠の移動や画像送り等を行える。
十字キー１７４は、十字キー１７４における上、下、右、左の各部を押し込み可能な方向ボタンである。本実施形態では一体的な操作部として説明しているが、上ボタン、下ボタン、右ボタン、左ボタンがそれぞれ独立したボタンであってもよい。十字キー１７４の上部分及び下部分を上下キー、左部分及び右部分を左右キーと称する。
【００２６】
ＳＥＴボタン１７５は、主に選択項目の決定等に用いられる押しボタンである。
ＬＶボタン１７６は、静止画撮影モードおいてライブビュー（以下、ＬＶ）のＯＮとＯＦＦとを切り替えるボタンである。動画撮影モードにおいては、ＬＶボタン１７６は、動画撮影（記録）の開始、停止の指示に用いられる。
再生ボタン１７９は、撮影モードと再生モードとを切り替える操作ボタンである。撮影モード中に再生ボタン１７９を押下することで再生モードに移行し、記憶媒体１９０に記録された画像のうち最新の画像を表示部１２８に表示することができる。
【００２７】
また、操作部１７０には、表示部１２８に表示される種々の機能アイコンを選択操作する等により、場面ごとに適宜機能が割り当てられ、各種機能ボタンとして作用する機能操作部材が含まれる。機能ボタンとしては、例えば終了ボタン、戻るボタン、画像送りボタン、ジャンプボタン、絞込みボタン、属性変更ボタン等がある。例えば、メニューボタン１６３が押されると各種の設定可能なメニュー画面が表示部１２８に表示される。ユーザは、表示部１２８に表示されたメニュー画面と、上下左右の４方向ボタンやＳＥＴボタン１７５とを用いて直感的に各種設定を行うことができる。
【００２８】
また、操作部１７０には、タッチパネル１７０ａが含まれる。タッチパネル１７０ａは、表示部１２８に対する接触を検知可能である。タッチパネル１７０ａと表示部１２８とは一体的に構成できる。例えば、タッチパネル１７０ａを光の透過率が表示部１２８の表示を妨げないように構成し、表示部１２８の表示面の上層に取り付ける。そして、タッチパネル１７０ａにおける入力座標と、表示部１２８上の表示座標とを対応付ける。これにより、あたかもユーザが表示部１２８上に表示された画面を直接的に操作可能であるかのようなＧＵＩ（グラフィカルユーザインタフェース）を構成できる。
【００２９】
システム制御部１５０は、ユーザによるタッチパネル１７０ａへの以下の操作、又は、状態を検出できる。
第１に、システム制御部１５０は、タッチパネル１７０ａにタッチしていなかった指やペンが新たにタッチパネル１７０ａにタッチしたこと、すなわち、タッチの開始（以下、タッチダウン（Ｔｏｕｃｈ−Ｄｏｗｎ）と称する）を検出できる。
第２に、システム制御部１５０は、指やペンがタッチパネル１７０ａにタッチされた状態であること（以下、タッチオン（Ｔｏｕｃｈ−Ｏｎ）と称する）を検出できる。
第３に、システム制御部１５０は、指やペンでタッチパネル１７０ａをタッチしたまま、指やペンが移動していること（以下、タッチムーブ（Ｔｏｕｃｈ−Ｍｏｖｅ）と称する）を検出できる。
第４に、システム制御部１５０は、タッチパネル１７０ａにタッチしていた指やペンを離したこと、すなわち、タッチの終了（以下、タッチアップ（Ｔｏｕｃｈ−Ｕｐ）と称する）を検出できる。
第５に、システム制御部１５０は、タッチパネル１７０ａに何もタッチしていない状態（以下、タッチオフ（Ｔｏｕｃｈ−Ｏｆｆ）と称する）を検出できる。
【００３０】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３１】
タッチパネル１７０ａに対する操作、タッチパネル１７０ａの状態や、指やペンがタッチしているタッチパネル１７０ａ上の位置座標は、内部バスを通じてシステム制御部１５０に通知される。システム制御部１５０は、通知された情報に基づいてタッチパネル１７０ａ上にどのような操作（タッチ操作）が行なわれたかを判定する。
タッチムーブについてはタッチパネル１７０ａ上で移動する指やペンの移動方向についても、位置座標の変化に基づいて、タッチパネル１７０ａ上の垂直成分・水平成分ごとに判定できる。システム制御部１５０は、所定距離以上をタッチムーブしたことが検出した場合はスライド操作が行なわれたと判定するものとする。
【００３２】
タッチパネル上に指をタッチしたままある程度の距離だけ素早く動かして、そのまま離すといった操作をフリックと呼ぶ。フリックは、言い換えればタッチパネル１７０ａ上を指ではじくように素早くなぞる操作である。所定距離以上を、所定速度以上でタッチムーブしたことが検出され、そのままタッチアップが検出されると、フリックが行なわれたと判定できる（スライド操作に続いてフリックがあったものと判定できる）。
複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインとを総称してピンチ操作（あるいは単にピンチ）と称する。
【００３３】
タッチパネル１７０ａは、抵抗膜方式や静電容量方式、表面弾性波方式、赤外線方式、電磁誘導方式、画像認識方式、光センサ方式等、様々な方式のタッチパネルのうちいずれの方式のものを用いてもよい。タッチパネル１７０ａの方式には、タッチパネルに対する接触があったことでタッチがあったと検出する方式や、タッチパネルに対する指やペンの接近があったことでタッチがあったと検出する方式ものがあるが、いずれの方式でもよい。
【００３４】
次に、図３Ａ、図３Ｂを参照して、色調調整処理について説明する。図３Ａは、色調調整処理のフローチャートの一部分であり、図３Ｂは、色調調整処理のフローチャートの他の部分である。図３Ａ、図３Ｂは、全体として色調調整処理を表す。色調調整処理は、表示部１２８の色調を調整する処理である。
ステップＳ３０１において、システム制御部１５０は、自機であるデジタルカメラ１００の表示部１２８の色調に対応する、現在（ステップＳ３０１実行時）の色調調整値を取得する。
【００３５】
ステップＳ３０２からＳ３１０までの処理において、システム制御部１５０は、表示部１２８に、設定画面４０１を表示する制御を行う。
ここで、図４（ａ）、（ｄ）を参照して、設定画面４０１について説明する。図４（ａ）、（ｄ）は、それぞれ、設定画面４０１の例を示す図である。設定画面４０１は、表示部１２８の色調を設定する画面であり、表示部１２８に表示される。
設定画面４０１には、画像部４０２と、機種名部４０３と、別機種優先チェックボックス４０４と、色調設定項目一覧４０５と、カラーマトリクス４０６と、一覧ボタン４０８と、セットボタン４０９とが含まれる。
【００３６】
画像部４０２は、後に説明するように、自機であるデジタルカメラ１００で撮影された画像、又は、自機以外の別機種で撮影された画像を表示する。別機種は、自機以外の撮像装置である別装置の例である。別機種は、第２表示手段の例となる表示部を備える。別機種は、自機であるデジタルカメラ１００と同様の構成であってもよい。
機種名部４０３は、画像部４０２に表示される画像が別機種で撮影されたものであるとき、画像部４０２に表示される画像を撮影した撮像装置の機種名を表示する。なお、画像部４０２に表示される画像が自機で撮影されたものであるとき、設定画面４０１には、図４（ｄ）に示すように、機種名部４０３は表示されない。
【００３７】
別機種優先チェックボックス４０４は、別機種で撮影された画像を優先的に画像部４０２に表示するか否かを表す。ユーザは、例えばタッチパネル１７０ａを操作して、別機種優先チェックボックス４０４のＯＮとＯＦＦとを変更できる。システム制御部１５０は、別機種優先チェックボックス４０４がチェックされているとき、デジタルカメラ１００の表示モードを、第１モードとする。第１モードは、優先モードの例であって、「別機種優先」が指定されたモードであり、別機種で撮影された画像を優先的に画像部４０２に表示するモードである。システム制御部１５０は、別機種優先チェックボックス４０４がチェックされていないとき、デジタルカメラ１００の表示モードを、第２モードとする。第２モードは、「別機種優先」が指定されていないモードであり、自機で撮影された画像を優先的に画像部４０２に表示するモードである。
【００３８】
色調設定項目一覧４０５は、色調設定項目を指定可能な色調設定項目の一覧である。本実施形態では、色調設定項目一覧４０５はプルダウンリストである。ここで、図４（ｂ）を参照して、色調設定項目一覧４０５について説明する。図４（ｂ）は、ユーザが色調設定項目一覧４０５を選択したときの、色調設定項目一覧４０５の表示の例を示す図である。色調設定項目一覧４０５は、保存されている色調調整値を指定可能な第１指定部の例である。
色調設定項目一覧４０５に含まれる色調設定項目のそれぞれは、色調設定候補であり、色調調整値が対応付けられている。対応付けの情報は、メモリ１３２や不揮発性メモリ１５６等に保存されている。色調設定項目一覧４０５に含まれる色調設定項目として、「標準」、「暖色」、「寒色」及び「カスタム」がある。「標準」は、例えば、デジタルカメラ１００の表示部１２８のデフォルトの色調を表す色調設定項目である。「暖色」は、暖色の色調を表す色調設定項目である。「寒色」は、寒色の色調を表す色調設定項目である。「カスタム」は、別機種の表示部の色調や、ユーザがカラーマトリクス４０６を使って定めた色調等を表す色調設定項目である。「カスタム１」、「カスタム２」のように、「カスタム」は複数あってもよい。色調設定項目一覧４０５は、色調選択手段の例であり、色調設定項目一覧４０５によって、ユーザは、複数の色調設定項目からいずれかを選択可能である。
【００３９】
カラーマトリクス４０６は、Ａ−Ｂ軸と、Ｇ−Ｍ軸とからなるグラフ状のマトリクスである。Ａ−Ｂ軸は、ブルーとアンバー方向の色調を表す軸である。Ｇ−Ｍ軸は、グリーンとマゼンタ方向の色調を表す軸である。設定画面４０１の初期状態のカラーマトリクス４０６の指示点４０７は、表示部１２８の現在の色調に対応する色調調整値を表す。
また、カラーマトリクス４０６は、Ａ−Ｂ軸とＧ−Ｍ軸とから色調調整値を指定可能な表示要素でもある。より具体的には、ユーザは、例えばタッチパネル１７０ａを操作して、図４（ｃ）に示すように、カラーマトリクス４０６の点をタッチする等によって指示点４０７を移動させて、設定したい表示部１２８の色調に対応する色調調整値を指定できる。
なお、色調設定項目の「標準」は、Ａ−Ｂ軸及びＧ−Ｍ軸の両方について中央となる座標で表される色調に対応する。色調設定項目の「暖色」は、Ａ−Ｂ軸についてはアンバー側となり、Ｇ−Ｍ軸については中央となる座標で表される色調に対応する。色調設定項目の「寒色」は、Ａ−Ｂ軸についてはブルー側となり、Ｇ−Ｍ軸については中央となる座標で表される色調に対応する。
【００４０】
一覧ボタン４０８は、後述の一覧画面５０１に遷移するためのボタンである。
セットボタン４０９は、設定画面４０１で設定した色調を決定するためのボタンである。
【００４１】
図３ＡのステップＳ３０２において、システム制御部１５０は、設定画面４０１のうち、画像部４０２以外を表示部１２８に表示する制御を行う。例えば、システム制御部１５０は、ステップＳ３０１で取得した色調調整値に対応する座標に指示点４０７が表示されたカラーマトリクス４０６を表示部１２８に表示する制御を行う。また、システム制御部１５０は、メモリ１３２や不揮発性メモリ１５６等から色調調整値に対応付けられた色調設定項目を取得して、色調設定項目一覧４０５を表示部１２８に表示する制御を行う。また、システム制御部１５０は、ステップＳ３０１で取得した色調調整値に対応する色調設定項目があるとき、色調設定項目一覧４０５において、この色調設定項目が選択された状態にする。
【００４２】
ステップＳ３０３において、システム制御部１５０は、「別機種優先」が指定されているか否かを判定する。システム制御部１５０は、「別機種優先」が指定されているとき処理をステップＳ３０４に進め、「別機種優先」が指定されていないとき処理をステップＳ３１０に進める。
ステップＳ３０４において、システム制御部１５０は、別機種の画像が記憶媒体１９０に記録されているか否かを判定する。システム制御部１５０は、デジタルカメラ１００のロムにある機種情報を取得し、さらに画像と共に記録されているメタデータより当該画像を撮影した機種の情報を取得し、機種が同じであるか否かを判定する。システム制御部１５０は、別機種の画像が記憶媒体１９０に記録されているとき処理をステップＳ３０５に進め、記録されていないとき処理をステップＳ３０９に進める。別機種の画像とは、別機種で撮影された画像を表す。システム制御部１５０は、画像の撮影情報を参照して画像を撮影した機種の情報を取得し、別機種の画像か否かを判定する。画像の撮影情報は、画像ファイルや画像の管理ファイル等に記録されている。
ステップＳ３０５において、システム制御部１５０は、記憶媒体１９０に記録された画像を撮影した別機種が複数あるか否かを判定する。システム制御部１５０は、記憶媒体１９０に記録された画像を撮影した別機種が複数あるとき処理をステップＳ３０６に進め、複数ないとき処理をステップＳ３０７に進める。
【００４３】
ステップＳ３０６において、まず、システム制御部１５０は、複数の別機種の一つである対象別機種を選択する。システム制御部１５０は、例えば、記憶媒体１９０に記録された画像の最も多くを撮影した別機種を対象別機種としてもよく、記憶媒体１９０に記録された画像を撮影した別装置の中の最も古い別機種を対象別機種としてもよい。古い別機種とは、例えば、発売開始日が古い別機種のことである。また、システム制御部１５０は、記憶媒体１９０に記録された画像を撮影した別機種であって、かつ、別機種が備える表示部の色調が自機の表示部１２８の色調と異なる、という条件を満たす別機種を対象別機種としてもよい。
次に、システム制御部１５０は、表示部１２８を制御して、対象別機種の画像の１枚を設定画面４０１の画像部４０２に表示する。対象別機種の画像の１枚は、記憶媒体１９０に記録された対象別機種の画像のうち最も新しい画像でもよく、最も古い画像でもよく、その他の画像でもよい。
【００４４】
ステップＳ３０７において、システム制御部１５０は、表示部１２８を制御して、別機種の画像の１枚を設定画面４０１の画像部４０２に表示する。別機種の画像の１枚は、記憶媒体１９０に記録された別機種の画像のうち最も新しい画像でもよく、最も古い画像でもよく、その他の画像でもよい。
ステップＳ３０８において、システム制御部１５０は、表示部１２８を制御して、画像部４０２に表示される画像を撮影した別機種の機種名を機種名部４０３に表示する。別機種の機種名は、別機種を表す情報の例である。
ステップＳ３０９において、システム制御部１５０は、図４（ｄ）に示すように、表示部１２８を制御して、設定画面４０１のメッセージ部４１０に、別機種の画像がない旨のメッセージ４１０を表示する。
ステップＳ３１０において、システム制御部１５０は、表示部１２８を制御して、自機によって撮影された画像であって、かつ、表示部１２８が表示する再生画面で最後に表示や再生された画像を、設定画面４０１の画像部４０２に表示する。再生画面は、設定画面４０１とは異なる画面であり、記憶媒体１９０に記録された画像を表示する画面である。再生画面においては、再生画面を表示する指示がされたことに応じて、再生画面が最後に表示された際に表示されていた画像が表示される。
【００４５】
ステップＳ３１１において、システム制御部１５０は、タッチパネル１７０ａ等がユーザの操作を受け付けて、色調設定項目一覧４０５において選択された色調設定項目が変更したか否かを判定する。システム制御部１５０は、選択された色調設定項目が変更したとき処理をステップＳ３１２に進め、選択された色調設定項目が変更していないとき処理をステップＳ３１３に進める。
ステップＳ３１２において、システム制御部１５０は、選択された色調設定項目に対応付けられた色調調整値に基づいて、表示部１２８の色調を設定する。これにより、システム制御部１５０は、選択された色調設定項目に対応付けられた色調調整値を表示部１２８の色調に反映する。
【００４６】
ステップＳ３１３において、システム制御部１５０は、タッチパネル１７０ａ等がユーザの操作を受け付けて、カラーマトリクス４０６の指示点４０７の座標が変更したか否かを判定する。システム制御部１５０は、指示点４０７の座標が変更したとき処理をステップＳ３１４に進め、指示点４０７の座標が変更していないとき処理をステップＳ３１６に進める。
ステップＳ３１４において、システム制御部１５０は、カラーマトリクス４０６の指示点４０７の座標に対応する色調調整値に基づいて、表示部１２８の色調を設定する。これにより、システム制御部１５０は、カラーマトリクス４０６の指示点４０７の座標に対応する色調調整値を表示部１２８の色調に反映する。
ステップＳ３１５において、システム制御部１５０は、カラーマトリクス４０６の指示点４０７の座標に対応する色調調整値を、色調設定項目の「カスタム」に対応付けて、メモリ１３２や不揮発性メモリ１５６等に保存する。システム制御部１５０は、「カスタム」が複数あるときは、指示点４０７の座標に対応する色調調整値を、いずれか１つの「カスタム」に対応付ける。例えば、システム制御部１５０は、「カスタム」が、「カスタム１」、「カスタム２」のように、複数あるとき、指示点４０７の座標に対応する色調調整値を、ユーザが選択したいずれかの「カスタム」、又は、未使用の「カスタム」に対応付けて保存する。「カスタム」は３つ以上あってもよい。
【００４７】
ステップＳ３１６において、システム制御部１５０は、タッチパネル１７０ａがユーザの操作を受け付けて、一覧ボタン４０８がタッチされたか否かを判定する。システム制御部１５０は、一覧ボタン４０８がタッチされたとき処理をステップＳ３１７に進め、一覧ボタン４０８がタッチされていないとき処理をステップＳ３３３に進める。システム制御部１５０は、一覧ボタン４０８がタッチされたとき、一覧画面５０１を表示して画像の一覧表示を行う。一覧ボタン４０８のタッチは、複数枚の画像を表示する表示指示の例である。
【００４８】
ここで、図５を参照して、一覧画面５０１について説明する。図５は、一覧画面５０１の例を示す図である。一覧画面５０１は、設定画面４０１の画像部４０２に表示する画像を、一覧表示された画像の中から選択するための画面であり、表示部１２８に表示される。
一覧画面５０１には、複数の対象画像５０２と、カーソル５０３と、機種マーク５０４と、機種名部５０５と、選択ボタン５０６と、セットボタン５０７とが含まれる。一覧画面５０１は、画像を選択するための選択画面の例である。
対象画像５０２は、一覧画面５０１で選択可能な画像でありサムネイル表示で表示される。また、一覧画面５０１において、対象画像５０２は、選択されている対象画像５０２が中心部分に配置されるように表示される。対象画像５０２は、画像のファイル番号順に表示されてもよく、撮影日時順に表示されてもよい。
カーソル５０３は、現在選択されている対象画像５０２を表す。システム制御部１５０は、選択ボタン５０６等が受け付けたユーザの操作に基づいて、カーソル５０３を移動させて、選択されている対象画像５０２を変更できる。
【００４９】
機種マーク５０４は、対象画像５０２に重畳して表示されるマークであり、対象画像５０２を撮影した機種を表す。機種マーク５０４は、図５に示すように、選択されている対象画像５０２を撮影した撮像装置とは異なる機種で撮影された対象画像５０２にのみ、重畳して表示されてもよい。また、機種マーク５０４は、全ての対象画像５０２に重畳して表示されてもよい。
機種名部５０５は、選択されている対象画像５０２を撮影した機種名を表示する。
選択ボタン５０６は、カーソル５０３を移動させるためのボタンである。ユーザは、選択ボタン５０６をタッチすることで、カーソル５０３を移動させられる。
セットボタン５０７は、選択されている対象画像５０２を設定画面４０１の画像部４０２に表示するためのボタンである。ユーザは、セットボタン５０７をタッチすることで、選択されている対象画像５０２を設定画面４０１の画像部４０２に表示させられる。
【００５０】
図３ＢのステップＳ３１７において、システム制御部１５０は、「別機種優先」が指定されているか否かを判定する。システム制御部１５０は、「別機種優先」が指定されているとき処理をステップＳ３１８に進め、「別機種優先」が指定されていないとき処理をステップＳ３２０に進める。
ステップＳ３１８において、システム制御部１５０は、別機種の画像が記憶媒体１９０に記録されているか否かを判定する。システム制御部１５０は、別機種の画像が記憶媒体１９０に記録されているとき処理をステップＳ３１９に進め、記録されていないとき処理をステップＳ３２０に進める。
【００５１】
ステップＳ３１９において、システム制御部１５０は、表示部１２８を制御して、記憶媒体１９０に記録された別機種の画像を優先的に対象画像５０２として表示させた一覧画面５０１を表示する。したがって、ステップＳ３１９において、別機種の画像が優先的に一覧表示される一覧画面５０１が表示される。
ステップＳ３２０において、システム制御部１５０は、表示部１２８を制御して、記憶媒体１９０に記録された画像を対象画像５０２とした一覧画面５０１を表示する。
【００５２】
ステップＳ３２１において、システム制御部１５０は、タッチパネル１７０ａがユーザの操作を受け付けて、選択された対象画像５０２を変更する操作がされたか否かを判定する。選択された対象画像５０２を単に選択画像とも呼ぶ。選択された対象画像５０２を変更する操作とは、例えば、選択ボタン５０６をタッチする操作や、いずれかの対象画像５０２をタッチする操作である。システム制御部１５０は、選択された対象画像５０２を変更する操作がされたとき処理をステップＳ３２２に進め、選択された対象画像５０２を変更する操作がされていないとき処理をステップＳ３２４に進める。
ステップＳ３２２において、システム制御部１５０は、選択された対象画像５０２を変更する処理を行う。より具体的には、システム制御部１５０は、新たに選択された対象画像５０２を指すようにカーソル５０３を移動させる制御を行う。
ステップＳ３２３において、システム制御部１５０は、新たに選択された対象画像５０２の撮影情報を参照して画像を撮影した機種を取得する。そして、システム制御部１５０は、新たに選択された対象画像５０２を撮影した機種名を、機種名部５０５に表示する制御を行う。
【００５３】
ステップＳ３２４において、システム制御部１５０は、タッチパネル１７０ａがユーザの操作を受け付けて、選択された対象画像５０２を決定する操作がされて、対象画像５０２が決定されたか否かを判定する。選択された対象画像５０２を決定する操作とは、例えば、セットボタン５０７をタッチする操作である。システム制御部１５０は、選択された対象画像５０２を決定する操作がされたとき処理をステップＳ３２５に進め、選択された対象画像５０２を決定する操作がされていないとき処理をステップＳ３２１に戻す。ステップＳ３２４において、選択された対象画像５０２を決定する操作がされたとき、システム制御部１５０は、設定画面４０１に表示する画像を選択された対象画像５０２に決定する。
ステップＳ３２５において、システム制御部１５０は、表示部１２８を制御して、設定画面４０１を表示する。このとき、システム制御部１５０は、設定画面４０１の画像部４０２に、ステップＳ３２４で決定された対象画像５０２を表示する。
【００５４】
ステップＳ３２６において、システム制御部１５０は、設定画面４０１の画像部４０２に表示されている画像の撮影情報を参照し、この画像を撮影した撮像装置が、自機であるか別機種であるかを判定する。システム制御部１５０は、画像部４０２に表示されている画像を撮影した撮像装置が自機のとき処理をステップＳ３３３に進め、別機種のとき処理をステップＳ３２７に進める。
ステップＳ３２７において、システム制御部１５０は、画像部４０２に表示されている画像を撮影した撮像装置の表示部の色調に対応する色調調整値を取得する。システム制御部１５０は、画像部４０２に表示されている画像のファイル情報（メタデータ）から、画像部４０２に表示されている画像を撮影した撮像装置の表示部の情報と色調調整値を取得してもよい。もしくは、画像から機種情報を取得し、デジタルカメラ１００の本体内にある、機種と表示部の色に関する情報とを関連づけたテーブルより別機種の表示部の色調方法を取得してもよい。また、システム制御部１５０は、画像部４０２に表示されている画像を撮影した撮像装置の機種名と、色調対応情報とから、現在の装置において同じ色調で表示するための色調調整値を取得してもよい。色調対応情報は、撮像装置の機種名と、撮像装置の表示部自体の色調と、色調調整値とが関連付けられた情報であり、メモリ１３２や不揮発性メモリ１５６等に保存されている。このように、システム制御部１５０は、別機種の表示部の色調と、別機種における色調設定の情報とを少なくとも含む情報を取得可能である。システム制御部１５０は、前の装置（別機種）の表示部の色調と、色調設定とから、現在の装置（自機）で前の装置と同じ色調でユーザが見えるように色調を調整するための情報である色調情報を取得する。システム制御部１５０は、色調情報に基づいて、選択された画像（画像部４０２に表示されている画像）を撮影した撮像装置の表示部と同じ色調で、現在の装置の表示部１２８が表示されるように表示部１２８を制御する。言い換えると、システム制御部１５０は、同じ色調設定をしても、元々の表示部の色調が異なるとユーザの見え方は変わってしまうため、表示部の色調を考慮して上で、同じように見えるように色調を調整する。例えば、別機種の表示部の色調がデジタルカメラ１００の表示部１２８の色調よりも、そもそもＡ（アンバー）によっているのであれば、そのまま同じ色調設定で表示をすると、アンバーよりの見え方になってしまう。そこで、別機種の表示部がデジタルカメラ１００よりもアンバーよりであることを考慮して、別機種の色調設定からアンバーからブルー側に寄せた色調設定にすることで、別機種とデジタルカメラ１００の表示部の色調の見え方が同じになる。
【００５５】
ステップＳ３２８において、システム制御部１５０は、表示部１２８を制御して、第１確認画面６０１を表示する。ここで、図６（ａ）を参照して、第１確認画面６０１について説明する。図６（ａ）は、第１確認画面６０１の例を示す図である。第１確認画面６０１は、画像部４０２に表示されている画像を撮影した別機種の色調に合うように表示部１２８の色調を変更するか否かを確認するための画面である。第１確認画面６０１には、メッセージ６０２と、ＹＥＳボタン６０３と、ＮＯボタン６０４とが含まれる。
メッセージ６０２は、画像部４０２に表示されている画像を撮影した別機種の色調に合うように表示部１２８の色調を変更するか否かを確認するための文言である。
ＹＥＳボタン６０３は、表示部１２８の色調を変更するためのボタンである。
ＮＯボタン６０４は、表示部１２８の色調を変更しないためのボタンである。
【００５６】
システム制御部１５０は、画像部４０２に表示されている画像を撮影した別機種の色調に合うように表示部１２８の色調を変更するとき処理をステップＳ３２９に進め、変更しないとき処理をステップＳ３３３に進める。
システム制御部１５０は、第１確認画面６０１のＹＥＳボタン６０３がタッチされたとき、画像部４０２に表示されている画像を撮影した別機種の色調に合うように表示部１２８の色調を変更すると判定する。また、システム制御部１５０は、第１確認画面６０１のＮＯボタン６０４がタッチされたとき、画像部４０２に表示されている画像を撮影した別機種の色調に合うように表示部１２８の色調を変更しないと判定する。
【００５７】
ステップＳ３２９において、システム制御部１５０は、表示部１２８を制御して、第２確認画面６０５を表示する。ここで、図６（ｂ）を参照して、第２確認画面６０５について説明する。図６（ｂ）は、第２確認画面６０５の例を示す図である。第２確認画面６０５は、画像部４０２に表示されている画像を撮影した別機種の色調を色調設定項目の「カスタム」に保存するか否かを確認するための画面である。第２確認画面６０５には、メッセージ６０６と、ＹＥＳボタン６０７と、ＮＯボタン６０８とが含まれる。
メッセージ６０６は、画像部４０２に表示されている画像を撮影した別機種の色調を「カスタム」に保存する否かを確認するための文言である。
ＹＥＳボタン６０７は、「カスタム」に保存するためのボタンである。
ＮＯボタン６０８は、「カスタム」に保存しないためのボタンである。
【００５８】
システム制御部１５０は、画像部４０２に表示されている画像を撮影した別機種の色調を「カスタム」に保存するとき処理をステップＳ３３０に進め、保存しないとき処理をステップＳ３３１に進める。
システム制御部１５０は、第２確認画面６０５のＹＥＳボタン６０７がタッチされたとき、画像部４０２に表示されている画像を撮影した別機種の色調を「カスタム」に保存すると判定する。また、システム制御部１５０は、第２確認画面６０５のＮＯボタン６０８がタッチされたとき、画像部４０２に表示されている画像を撮影した別機種の色調を「カスタム」に保存しないと判定する。
【００５９】
なお、システム制御部１５０は、ステップＳ３２９において、処理をステップＳ３３１に進めるときに、画像部４０２に表示されている画像を撮影した別機種の色調に対応する色調調整値を、色調設定項目の「一時カスタム」に対応付けて、保存してもよい。「一時カスタム」は、設定画面４０１の色調設定項目一覧４０５に含まれる色調設定項目であるが、ユーザが指定することはできない。
【００６０】
ステップＳ３３０において、システム制御部１５０は、画像部４０２に表示されている画像を撮影した別機種の色調に対応する色調調整値を、色調設定項目の「カスタム」に対応付けて、メモリ１３２や不揮発性メモリ１５６等に保存する。システム制御部１５０は、「カスタム」が複数あるとき、別機種の色調に対応する色調調整値を、ユーザが選択したいずれかの「カスタム」、又は、未使用の「カスタム」に対応付けて保存する。
【００６１】
ステップＳ３３１において、システム制御部１５０は、画像部４０２に表示されている画像を撮影した別機種の色調に対応する色調調整値に基づいて、表示部１２８の色調を設定する。このため、システム制御部１５０は、画像部４０２に表示されている画像を撮影した別機種の色調に対応する色調調整値を表示部１２８の色調に反映する。
【００６２】
ステップＳ３３２において、システム制御部１５０は、表示部１２８を制御して、画像部４０２に表示されている画像を撮影した別機種の色調に対応する色調調整値を表す座標に、カラーマトリクス４０６の指示点４０７を表示する。
ステップＳ３３３において、システム制御部１５０は、色調調整を終了するか否かを判定する。システム制御部１５０は、設定画面４０１のセットボタン４０９がタッチされたとき、色調調整を終了すると判定する。システム制御部１５０は、色調調整を終了するとき図３Ａ、図３Ｂに示す色調調整処理を終了し、色調調整を終了しないとき処理をステップＳ３１１に戻す。
【００６３】
以上説明したように、システム制御部１５０は、図３ＡのステップＳ３０６又はＳ３０７において、設定画面４０１の画像部４０２に別機種の画像を表示する。よって、ユーザが別機種で撮影した画像を容易に設定画面４０１に表示できる。したがって、ユーザは、別機種で撮影した画像を参照しながら、設定画面４０１で表示部１２８の色調を設定できるため、自機であるデジタルカメラ１００の表示部１２８の色調を、別機種の表示部の色調に合わせることが容易になる。
【００６４】
また、システム制御部１５０は、別機種優先チェックボックス４０４から「別機種優先」が指定されているか否かを判別できる。よって、ユーザは、設定画面４０１の画像部４０２に優先的に表示される画像を、別機種で撮影された画像にするか否かを選択できる。したがって、ユーザは、好みに応じて、表示部１２８の色調を調整しやすい画像を設定画面４０１に表示することができる。
【００６５】
また、システム制御部１５０は、一覧画面５０１を表示部１２８に表示する制御を行い、一覧画面５０１で選択された画像を設定画面４０１に表示する。したがって、ユーザは、設定画面４０１に表示する画像を自由に選択できるため、自機であるデジタルカメラ１００の表示部１２８の色調を、別機種の表示部の色調に合わせることが容易になる。
【００６６】
また、システム制御部１５０は、一覧画面５０１で選択された画像が別機種で撮影された画像のとき、この画像を撮影した撮像装置の表示部の色調に対応する色調調整値を取得する。そして、システム制御部１５０は、取得した色調調整値に基づいて、表示部１２８の色調を設定する。よって、システム制御部１５０は、自動的に表示部１２８の色調を設定できる。したがって、自機であるデジタルカメラ１００の表示部１２８の色調を、別機種の表示部の色調に合わせることが容易になる。
【００６７】
また、設定画面４０１は、カラーマトリクス４０６を備える。よって、ユーザは、デジタルカメラ１００の表示部１２８の色調を細かく調整できる。
また、システム制御部１５０は、ユーザがカラーマトリクス４０６で指定した色調調整値や、一覧画面５０１で選択された画像を撮影した別機種の表示部の色調に対応する色調調整値を、色調設定項目の「カスタム」に対応付けて保存する。よって、ユーザは、後に色調設定項目一覧４０５を操作してデジタルカメラ１００の表示部１２８の色調を調整できる。したがって、表示部１２８の色調を調整することが容易になる。
また、システム制御部１５０は、設定画面４０１の機種名部４０３に、画像部４０２に表示されている画像を撮影した別機種の機種名を表示する。したがって、ユーザは、別装置の機種名を確認しながら、自機であるデジタルカメラ１００の表示部１２８の色調を設定できる。
【００６８】
次に、デジタルカメラ１００が複数の記憶媒体１９０を備えるときの例について説明する。ここでは、デジタルカメラ１００は、２つの記憶媒体１９０（第１記憶媒体１９０及び第２記憶媒体１９０）を備えるものとする。
まず、図７（ａ）、（ｂ）を参照して、デジタルカメラ１００が複数の記憶媒体１９０を備えるときの設定画面４０１について説明する。図７（ａ）、（ｂ）は、それぞれ、デジタルカメラ１００が複数の記憶媒体１９０を備えるときの設定画面４０１の例を示す図である。
【００６９】
図７（ａ）、（ｂ）の設定画面４０１には、図４（ａ）の設定画面４０１の構成要素に加えて、媒体一覧部７０１と、カーソル７０２が含まれる。
媒体一覧部７０１は、デジタルカメラ１００が備える記憶媒体１９０を指定可能な一覧である。図７（ａ）、（ｂ）の例では、媒体一覧部７０１には、第１記憶媒体１９０を表す第１媒体部７０１ａと、第２記憶媒体１９０を表す第２媒体部７０１ｂとが含まれる。媒体一覧部７０１は、複数の記憶媒体のいずれかを指定可能な第２指定部の例である。
カーソル７０２は、選択されている記憶媒体１９０を表す。図７（ａ）は、第１記憶媒体１９０が選択された例であり、図７（ｂ）は、第２記憶媒体１９０が選択された例である。
色調設定項目一覧４０５には、記憶媒体１９０ごとに「カスタム」が用意される。例えば、第１記憶媒体１９０については「カスタム１」、第２記憶媒体１９０については「カスタム２」が用意されていてもよい。
【００７０】
次に、デジタルカメラ１００が複数の記憶媒体１９０を備えるときの色調調整処理について、図３Ａ、図３Ｂの色調調整処理と異なる点を中心に説明する。
システム制御部１５０は、設定画面４０１で選択されている記憶媒体１９０に記録された画像を、設定画面４０１の画像部４０２に表示したり、一覧画面５０１の対象画像５０２として表示したりする。したがって、ユーザは、画像部４０２に表示したい画像が記録された記憶媒体１９０を選択できることになる。
【００７１】
また、図３ＢのＳ３３１において、システム制御部１５０は、設定画面４０１で選択されている記憶媒体１９０に記録されており画像部４０２に表示されている画像を撮影した別機種の色調に対応する色調調整値に基づいて、表示部１２８の色調を設定する。
【００７２】
また、ステップＳ３３０において、システム制御部１５０は、画像部４０２に表示されている画像を撮影した別機種の色調に対応する色調調整値を、この画像が記録されている記憶媒体１９０に対応する「カスタム」に対応付けて保存する。
【００７３】
また、媒体一覧部７０１で表される記憶媒体１９０のそれぞれには、色調調整値が対応付けられていてもよい。例えば、第１記憶媒体１９０には、自機とは異なる撮像装置である第１撮像装置で撮影された画像が記録されているとき、第１記憶媒体１９０には、第１撮像装置の表示部の色調に対応する色調調整値が対応付けられている。記憶媒体１９０と色調調整値との対応付けの情報は、ユーザが入力してもよく、記憶媒体１９０に記録された画像を表す画像ファイルの情報に基づいてシステム制御部１５０が生成してもよい。
媒体一覧部７０１でいずれかの記憶媒体１９０が選択されると、システム制御部１５０は、選択された記憶媒体１９０に対応付けられた色調調整値に基づいて、表示部１２８の色調を設定してもよい。
この場合、ユーザが見慣れた表示部を持つ撮像装置の記憶媒体１９０を、デジタルカメラ１００に装着して選択することで、自動的に表示部１２８の色調が設定される。したがって、自機であるデジタルカメラ１００の表示部１２８の色調を、別機種の表示部の色調に合わせることが容易になる。
【００７４】
上記の実施形態において、システム制御部１５０は、設定画面４０１においてタッチパネル１７０ａがユーザの操作を受け付けて、別機種優先チェックボックス４０４が操作されたとき、次の処理を行ってもよい。すなわち、まず、システム制御部１５０は、表示モードを、別機種優先チェックボックス４０４のチェックに応じて、「別機種優先」が指定された状態の第１モード、又は、第２モードにモード設定する。次に、システム制御部１５０は、図３ＡのステップＳ３０３からＳ３１０までの処理を行う。
【００７５】
なお、システム制御部１５０が行うものとして説明した上述の各種制御は、１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７６】
また、上述した実施形態においては、本発明をデジタルカメラに適用した場合を例にして説明したが、これはこの例に限定されず表示部を有する撮像装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー等に適用可能である。また、本発明はタブレット端末、スマートフォン、投影装置、ディスプレイを備える家電装置や車載装置等に適用可能である。
【００７７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７８】
１００  デジタルカメラ
１５０  システム制御部
【図１】
2018129669.tif 000003
【図２】
2018129669.tif 000004
【図３Ａ】
2018129669.tif 000005
【図３Ｂ】
2018129669.tif 000006
【図４】
2018129669.tif 000007
【図５】
2018129669.tif 000008
【図６】
2018129669.tif 000009
【図７】
2018129669.tif 000010